(57)【要約】【課題】踏板および蹴込板と階段側壁との角度が種々に異なる廻り階段部における化粧枠構造の部品点数を削減し、その分だけ階段全体の構築に要するコストと手間を削減できるようにする。【解決手段】踏板２の側端上面を覆う横幅木２２と、蹴込板３の側端前面を覆う傾斜補正体２３と、踏板２の側端前面に被せ付けられて、横幅木２２と傾斜補正体２３の端部を覆うサイドキャップ２４を含んで化粧枠構造を構成する。サイドキャップ２４は、横幅木２２の端部上面側を覆う上壁１６と、踏板２の出鼻下面を覆う下壁１７と、上壁２６と下壁１７とを階段側壁Ｗに対して傾斜する状態で繋ぐ傾斜端壁１８とを一体に備えている。以て、踏板２と階段側壁Ｗとの交差角度が異なる廻り階段部Ｔにおいて、各踏板２にサイドキャップ２４を流用して部品を共通化する。【選択図】        図１
2004150037.tif 000002
【特許請求の範囲】
【請求項１】
廻り階段部Ｔと、廻り階段部Ｔの上下に連続する直線階段部Ｓとを備えた階段に適用されて、踏板２および蹴込板３と階段側壁Ｗとの交差部分に沿って配置される化粧枠構造であって、
廻り階段部Ｔにおける化粧枠構造が、踏板２の側端上面を覆う横幅木２２と、蹴込板３の側端前面を覆う傾斜補正体２３と、踏板２の側端前面に被せ付けられて、横幅木２２と傾斜補正体２３の端部を覆うサイドキャップ２４を含んで構成されており、
サイドキャップ２４が、横幅木２２の端部上面側を覆う上壁１６と、踏板２の出鼻下面を覆う下壁１７と、上壁１６と下壁１７とを階段側壁Ｗに対して傾斜する状態で繋ぐ傾斜端壁１８とを一体に備えており、
踏板２と階段側壁Ｗとの交差角度が異なる廻り階段部Ｔにおいて、サイドキャップ２４を各踏板２に流用できることを特徴とする、廻り階段を含む階段用の化粧枠構造。
【請求項２】
直線階段部Ｓにおける化粧枠構造が、踏板２の側端上面を覆う横幅木１０と、蹴込板３の側端前面を覆う縦幅木１１と、踏板２の側端前面に被せ付けられて、横幅木１０と縦幅木１１の端部を覆うサイドキャップ１２を含んで構成されており、
直線階段部Ｓにおけるサイドキャップ１２と廻り階段部Ｔにおけるサイドキャップ２４とが同一部材からなる請求項１記載の廻り階段を含む階段用の化粧枠構造。
【請求項３】
直線階段部Ｓにおける横幅木１０と縦幅木１１、および廻り階段部Ｔにおける横幅木２２が、それぞれ同じ帯状材を所定長さに切断して形成してある請求項１または２記載の廻り階段を含む階段用の化粧枠構造。
【請求項４】
傾斜補正体２３が断面直角三角形状の上下に長い柱状体で形成されており、
階段側壁Ｗに対する交差角度が異なる複数の蹴込板３において、傾斜補正体２３を共用している請求項３記載の廻り階段を含む階段用の化粧枠構造。
【発明の詳細な説明】
【０００１】
【発明の属する技術分野】
本発明は、廻り階段を含む階段において、踏板および蹴込板と階段側壁との交差部分に沿って設けられる階段用の化粧枠構造に関する。
【０００２】
【従来の技術】
踏板および蹴込板を左右一対の側枠に組み付けた状態において、踏板および蹴込板と階段側壁との間に隙間が生じる。さらに、踏板を側枠に締結するためのビスや釘の頭部が、踏板の左右側端の表面に露出する。このような隙間やビス頭などを覆い隠すために、踏板および蹴込板と階段側壁との交差部分を化粧枠で覆うことは公知である（例えば特許文献１、および特許文献２参照）。
【０００３】
【特許文献１】
特開２００１−１５９２１９号公報（段落番号０００８、図１）
【特許文献２】
特開２００１−２７０２５号公報（段落番号００１０、図２）
【０００４】
【発明が解決しようとする課題】
一般の家屋における階段の殆どは、建物における階段の占める空間量をできるだけ少なくするために、階段の方向が９０度、あるいは１８０度異なる廻り階段を採用することが多い。廻り階段に踊場を設けることもある。この種の廻り階段には、２段廻り、３段回りなどいくつかの種類があり、踏板と階段側壁との角度は必ずしも一定していない。そのため、踏板および蹴込板と階段側壁との交差部分を化粧枠で覆って仕上げる場合には、交差部分の角度が異なる踏板ごとに専用の化粧枠を用意しなければならず、仕上げ作業に多くの手間とコストが掛かってしまう。専用の化粧枠を事前に工場で加工しておくことは容易であるが、化粧枠の部品点数が増え作業が煩雑化しやすい。
【０００５】
本発明の目的は、踏板および蹴込板と階段側壁との角度が種々に異なる廻り階段部でも共通して使用でき、従って、廻り階段部の化粧仕上げに要する化粧枠の部品点数を削減し、その分だけ階段全体の構築に要するコストと手間を削減できる階段用の化粧枠構造を提供することにある。本発明の目的は、直線階段部と廻り階段部のいずれにも共通して使用することができ、その分だけ階段全体の化粧仕上げに要するコストと手間を削減できるうえ、廻り階段部と、廻り階段部の上下に連なる直線階段部との化粧枠のデザインを統一できる階段用の化粧枠構造を提供することにある。
【０００６】
【課題を解決するための手段】
本発明の階段用の化粧枠構造は、廻り階段部Ｔと、廻り階段部Ｔの上下に連続する直線階段部Ｓとを備えた階段に適用されて、踏板２および蹴込板３と階段側壁Ｗとの交差部分に沿って配置される。廻り階段部Ｔにおける化粧枠構造は、踏板２の側端上面を覆う横幅木２２と、蹴込板３の側端前面を覆う傾斜補正体２３と、踏板２の側端前面に被せ付けられて、横幅木２２と傾斜補正体２３の端部を覆うサイドキャップ２４を含んで構成する。サイドキャップ２４は、横幅木２２の端部上面側を覆う上壁１６と、踏板２の出鼻下面を覆う下壁１７と、上壁１６と下壁１７とを階段側壁Ｗに対して傾斜する状態で繋ぐ傾斜端壁１８とを一体に備えている。以て、踏板２と階段側壁Ｗとの交差角度が異なる廻り階段部Ｔにおいて、サイドキャップ２４を各踏板２に流用できることを特徴とする。
【０００７】
直線階段部Ｓにおける化粧枠構造は、踏板２の側端上面を覆う横幅木１０と、蹴込板３の側端前面を覆う縦幅木１１と、踏板２の側端前面に被せ付けられて、横幅木１０と縦幅木１１の端部を覆うサイドキャップ１２を含んで構成する。直線階段部Ｓにおけるサイドキャップ１２と、廻り階段部Ｔにおけるサイドキャップ２４とは同一部材からなる。
【０００８】
直線階段部Ｓにおける横幅木１０と縦幅木１１、および廻り階段部Ｔにおける横幅木２２は、それぞれ同じ帯状材を所定長さに切断して形成する。
【０００９】
傾斜補正体２３は断面直角三角形状の上下に長い柱状体で形成する。以て、階段側壁Ｗに対する交差角度が異なる複数の蹴込板３において、傾斜補正体２３を共用する。
【００１０】
【発明の作用効果】
本発明の廻り階段においては、踏板２の側端上面を覆う横幅木２２と、蹴込板３の側端前面を覆う傾斜補正体２３と、踏板２の側端前面に被せ付けられるサイドキャップ２４などで化粧枠構造を構成し、踏板２と階段側壁Ｗとの交差角度が異なる廻り階段部Ｔにおいて、サイドキャップ２４を各踏板２に流用できるようにした。詳しくは、上壁１６と下壁１７とを、階段側壁Ｗに対して敢えて傾斜させた傾斜端壁１８で繋いで、踏板２と階段側壁Ｗとの交差角度が種々に異なる場合にも、サイドキャップ２４を踏板２に対して支障なく装着できるようにし、しかも、各踏板２に装着したサイドキャップ２４の見かけの印象が同じになるようにした。従って、本発明の化粧枠構造によれば、サイドキャップ２４を流用できる分だけ化粧仕上げに要する部品点数を削減して、階段全体の構築に要するコストと手間を削減できる。
【００１１】
直線階段部Ｓと廻り階段部Ｔとで同じサイドキャップ１２・２４を使用すると、化粧枠構造の構成部品点数をさらに削減して、階段全体の化粧仕上げに要するコストを削減できるうえ、廻り階段部Ｔと直線階段部Ｓとの化粧枠のデザインを調和させて、統一された印象のものとして階段全体の体裁を向上できる。
【００１２】
直線階段部Ｓと廻り階段部Ｔにおける各幅木１０・１１・２２を、それぞれ同じ帯状材を素材にして、所定長さに切断して形成した化粧枠構造によれば、化粧枠構造の要素部品点数を削減して、階段の化粧仕上げに要するコストをさらに削減できる。
【００１３】
断面直角三角形状の上下に長い柱状体で形成した傾斜補正体２３を、上下に反転して蹴込板３に固定することにより、階段側壁Ｗに対する交差角度が異なる複数の蹴込板３において、傾斜補正体２３を共用できるようにした化粧枠構造によれば、傾斜補正体２３を共用する分だけ、化粧枠構造の要素部品点数を削減して、階段の化粧仕上げに要するコストをさらに削減できる。
【００１４】
【実施例】
図１ないし図８は、本発明に係る廻り階段構造の実施例を示す。図２において符号Ｔは廻り階段部、Ｓは廻り階段部Ｔの上下に連続する直線階段部である。廻り階段部Ｔは３段廻り構造になっており、下側の直線階段部Ｓから順に第１階段Ｔ１、第２階段Ｔ２、第３階段Ｔ３を経て、上側の直線階段部Ｓに連続している。第１〜第３階段Ｔ１、Ｔ２、Ｔ３における各踏板２の前縁の挟み角度は３０度である。
【００１５】
図３ないし図５において階段は、階段側壁Ｗに沿って固定した左右一対の側枠１と、側枠１に対して交互に締結固定される踏板２および蹴込板３と、踏板２および蹴込板３と階段側壁Ｗとの交差部分に配置される化粧枠構造とで構成してある。建物躯体に固定される側枠１は厚み寸法が２０ｍｍ前後の木板からなり、垂直の縦受部４と水平の横受部５とが交互に形成してある。踏板２は側枠１と同程度の厚みを持つ木板からなり、その前部下面に蹴込板３を嵌め込むための溝６が長手方向の全長にわたって形成され、後部上隅に次段の蹴込板３の下端を受け止める段部７が切り欠き形成してある。
【００１６】
化粧枠構造は、上下の直線階段部Ｓに設けられる化粧枠構造と、廻り階段部の第２階段Ｔ２と第３階段Ｔ３に設けられる化粧枠構造とに大別される。なお、第１階段Ｔ１の化粧枠構造は直線階段部Ｓに設けられる化粧枠構造と同じであるが、横幅木２２の長さが異なる。図３および図４に示すように前者の化粧枠構造は、踏板２の側端上面を覆う横幅木１０と、蹴込板３の側端前面を覆う縦幅木１１と、踏板２の側端前面に被せ付けられて横幅木１０の前端と縦幅木１１の上端を覆うサイドキャップ１２と、横幅木１０の後端と縦幅木１１の下端を覆うコーナーカバー１３と、階段の始端および終端に配置されるエンドピース１４とで構成する。
【００１７】
横幅木１０および縦幅木１１は、片面の一側縁が丸めてある木製またはプラスチック製の帯状材からなり、長尺の帯状材を踏板２および蹴込板３の長さに応じて切断して形成するが、踏板２および蹴込板３の表面から大きく出っ張らない厚み寸法にして、つまずきや引っ掛かりの原因を避ける、いわゆるバリアフリーを満足できるものとしてある。横幅木１０および縦幅木１１は予め所定の長さに切断して、踏板２や蹴込板３などの階段構成部品とともにキット化した状態で供給される。図１に示すように横幅木１０は、丸められていない側の側縁が階段側壁Ｗに密着する状態で踏板２に接着固定する。そのために各幅木１０・１１の片面に予め接着材層を形成しておくことができる。あるいは隠し釘で固定してもよい。縦幅木１１も同様にして蹴込板３に固定する。
【００１８】
図５においてサイドキャップ１２は、縦断面がコ字状のプラスチック成形品からなり、横幅木１０の端部上面を覆う台形状の上壁１６と、踏板２の出鼻下面を覆う台形状の下壁１７と、上壁１６と下壁１７との傾斜辺部同士を繋ぐ傾斜端壁１８とを一体に備えている。換言すると、図４に示すように上壁１６と下壁１７とは、階段側壁Ｗに対して斜めに傾斜する傾斜端壁１８で繋がれている。それぞれ台形状に形成される上壁１６および下壁１７の底辺と傾斜端壁１８が挟む角度は４５度である。
【００１９】
下壁１７は上壁１６より前後に長く形成してあり、その内面に切断を容易化するための溝１９が３箇所形成してある。この溝１９の意味については、後述する廻り階段部Ｔの化粧枠構造を説明する際に改めて詳述する。サイドキャップ１２は、上下両壁１６・１７を横幅木１０と、踏板２の出鼻下面とに接着することにより固定され、取り付け状態においては、図４に示すように傾斜端壁１８が階段側壁Ｗと踏板２の前面との交差隅部を斜めに覆い隠している。傾斜端壁１８の内部の空間を利用してＬＥＤなどの照明具を収容することができる。
【００２０】
コーナーカバー１３は縦断面がＬ字状のプラスチック成形品からなり、一側面に接当壁２０がＬ字状に張出してある。接当壁２０を除くコーナーカバー１３の左右幅は縦横の幅木１０・１１の幅寸法より僅かに大きく設定してある。エンドピース１４は、ひとつの隅が丸めてある正方形状のプラスチック成形品からなり、その厚み寸法は、サイドキャップ１２、およびコーナーカバー１３の端部の厚み寸法に一致させてある。内面には補強リブが格子状に設けてある。コーナーカバー１３およびエンドピース１４は、それぞれ接着によって固定される。
【００２１】
図１および図６において、廻り階段部の第２階段Ｔ２と第３階段Ｔ３に設けられる化粧枠構造は、踏板２の側端上面を覆う横幅木２２と、蹴込板３の側端前面を覆う傾斜補正体２３と、踏板２の側端前面に被せ付けられて、横幅木２２と傾斜補正体２３の端部を覆うサイドキャップ２４と、横幅木２２の後端と傾斜補正体２３の下端を覆うコーナーカバー１３とで構成する。コーナーカバー１３は先に説明したコーナーカバー１３と同一品である。横幅木２２は、先に説明した横幅木１０と同じ帯状材を必要な長さに切断して形成するが、第２階段においては階段側壁Ｗが直角に連続するので、２個の横幅木２２で踏板２と階段側壁Ｗとの隙間を塞ぐ（図２参照）。
【００２２】
第２階段Ｔ２および第３階段Ｔ３における踏板２および蹴込板３は、階段側壁Ｗに対してそれぞれ傾斜する状態で側枠１に取り付けられる。そのため、第２階段Ｔ２および第３階段Ｔ３における、踏板２および蹴込板３と階段側壁Ｗとの交差部分には三角形状の隙間が生じる。前者の交差角度は６０度であり、後者の交差角度は１２０度である。この隙間を埋めて、サイドキャップ２４を収まりよく装着するために木製の傾斜補正体２３が用いられる。
【００２３】
図１において傾斜補正体２３は、互いに直交する第１辺部２３ａおよび第２辺部２３ｂと、傾斜する第３辺部２３ｃとを有する、横断平面視が直角三角形状の縦長の柱状体からなり、第２辺部２３ｂの左右幅がサイドキャップ２４の左右幅とほぼ同じに設定してある。第２辺部２３ｂと第３辺部２３ｃで挟まれる頂部の角度３０度であり、この頂部は取り扱い時の欠落などを避けるために第１辺部２３ａと平行に切り落としてある。図７に示すように、第２階段Ｔ２においては、第１辺部２３ａが階段側壁Ｗと接合し、第３辺部２３ｃが蹴込板３の前面に接合する状態で、傾斜補正体２３を蹴込板３に接着固定する。図８に示すように第３階段Ｔ３においては、切り落とされた頂部が階段側壁Ｗと接合し、第３辺部２３ｃが蹴込板３の前面に接合する状態で、傾斜補正体２３を蹴込板３に接着固定する。つまり、第２階段Ｔ２と第３階段Ｔ３では、傾斜補正体２３を上下に反転して使用する。
【００２４】
サイドキャップ２４は、先に説明したサイドキャップ１２と同一品であるが、その使用形態が若干異なる。第２階段Ｔ２においては、図１に示すように手を加えない状態のサイドキャップ２４を踏板２の側端前面に被せ付けて接着固定し、横幅木２２の前端と、傾斜補正体２３の上端を覆い隠す。従って、横幅木２２は、その前端を踏板２の傾斜角度に合致して斜めに切り落とす必要はなく、直線階段Ｓ用の横幅木１０と同様に直角に切断してあればよい。この取り付け状態において、傾斜端壁１８は図７に示すように踏板２の前面から大きく突出して、階段側壁Ｗと踏板２の前面との交差隅部を斜めに覆い隠している。下壁１７の後端は傾斜補正体２３の前面に接当している。
【００２５】
第３階段Ｔ３においては、図６に示すように下壁１７の一部を切り落とした状態でサイドキャップ２４を使用するが、この切断作業を容易化するために下壁１７に溝１９を設けている。下壁１７の切断長さは踏板２の傾斜角度によって異なり、本実施例においては、後端寄りの溝１９に沿って下壁１７を切断した。このように、予め溝１９を設けておくことにより、下壁１７の切断を簡便に行えるうえ、切断位置がばらつくこともない。サイドキャップ２４を踏板２の側端前面に被せ付けて接着固定した状態では、上壁１６および下壁１７によって、横幅木２２の前端と傾斜補正体２３の上端とが覆い隠され、下壁１７の切断縁が傾斜補正体２３の前面に接当しており、傾斜端壁１８は階段側壁Ｗと踏板２の前面との交差隅部を斜めに覆い隠している。この場合の傾斜端壁１８の踏板前面に対する傾き角度は、第２階段Ｔ２における傾斜端壁１８の踏板前面に対する傾き角度より充分に小さい。
【００２６】
以上のように構成した化粧枠構造によれば、直線階段部Ｓに設けられる化粧枠構造と、廻り階段部に設けられる化粧枠構造とで、サイドキャップ２４およびコーナーカバー１３を共用できるうえ、同じ帯条材から横幅木１０・２２、および縦幅木１１を形成できる。従って、踏板２および蹴込板３と階段側壁Ｗとの角度が種々に異なる廻り階段部分において化粧枠構造を共通して使用できるのはもちろん、化粧枠構造の構成部品の多くを直線階段と廻り階段のいずれにも使用することができるので、その分だけ階段全体の化粧仕上げに要するコストと手間を削減できる。廻り階段と、廻り階段の上下に連なる直線階段部分との化粧枠のデザインを統一できる利点もある。
【００２７】
図９は、廻り階段部Ｔが２段廻り構造である場合の化粧枠構造の実施例を示す。そこでは、廻り階段部Ｔが第１階段Ｔ１と、第２階段Ｔ２とで構成される。第１階段Ｔ１は直線階段部Ｓと同じ化粧枠構造で仕上げるが、その横幅木２２の長さが異なる。第２階段Ｔ２における化粧枠構造は、先の実施例と同様に横幅木２２と、傾斜補正体２３と、サイドキャップ２４と、コーナーカバー１３とで構成するが、踏板２の前面が階段側壁Ｗの内隅に対して４５度の角度で交差するので、傾斜補正体２３の断面構造が先に説明した傾斜補正体２３とは異なる。
【００２８】
具体的には、傾斜補正体２３は、互いに直交する第１辺部２３ａおよび第２辺部２３ｂと、傾斜する第３辺部２３ｃとを有する、横断平面視が二等辺直角三角形状の縦長の木片からなり、第２辺部２３ｂの左右幅がサイドキャップ２４の左右幅とほぼ同じに設定してある。第２辺部２３ｂと第３辺部２３ｃで挟まれる頂部は、第１辺部２３ａと平行に切り落としてある。図９に示すように、第２階段Ｔ２においては、切り落とした頂部が階段側壁Ｗと接合し、第３辺部２３ｃが蹴込板３の前面に接合する状態で、傾斜補正体２３を蹴込板３に接着固定する。
【００２９】
この実施例においては、先の実施例の第３階段Ｔ３と同様に、下壁１７の一部を切り落とした状態でサイドキャップ２４を使用する。サイドキャップ２４を踏板の側端前面に被せ付けて接着固定した状態では、傾斜端壁１８と踏板２の前面の傾き角度とが一致するので、傾斜端壁１８の内面は踏板２の前面に密着する。他は先の実施例と同じであるので、同じ部材に同じ符号を付して、その説明を省略する。次の実施例においても同様に扱うこととする。
【００３０】
図１０は直線階段部分に使用されるサイドキャップ１２の別実施例を示す。そこでは、上壁１６および下壁１７をそれぞれ長方形状に形成して、これら両壁１６・１７を階段壁面Ｗに対して直交する端壁２８で繋ぐようにした。このように、直線階段部分Ｓ用のサイドキャップ１２を専用部品で形成すると、その分だけ化粧枠構造の部品点数が増えるが、踏板２の側端をその前側面と平行に覆い隠して、化粧枠構造の外観上の印象をすっきりとしたものとすることができる。
【００３１】
上記の実施例以外に、廻り階段は踊り場を含んでいてもよく、右廻り左廻りのいずれであってもよい。傾斜補正体２３はプラスチック成形品やプレス成形品で形成できる。サイドキャップ１２の下壁１７は、溝１９およびリブと周縁リブなどを省略して、平坦壁で形成することができる。
【図面の簡単な説明】
【図１】廻り階段要部の分解斜視図である。
【図２】廻り階段全体の平面図である。
【図３】直線階段部の始端側の縦断側面図である。
【図４】直線階段部の終端側の斜視図である。
【図５】サイドキャップおよびコーナーカバーの斜視図および断面図である。
【図６】第３階段における化粧枠構造の分解斜視図である。
【図７】第２階段における化粧枠構造の横断平面図である。
【図８】第３階段における化粧枠構造の横断平面図である。
【図９】化粧枠構造の別実施例を示す廻り階段の平面図である。
【図１０】サイドキャップの別実施例を示す直線階段の縦断側面図である。
【符号の説明】
１  側枠
２  踏板
３  蹴込板
１０  横幅木
１１  縦幅木
１２  サイドキャップ
１３  コーナーカバー
１６  上壁
１７  下壁
１８  傾斜端壁
２２  横幅木
２３  傾斜補正体
２４  サイドキャップ
Ｗ  階段側壁
【図１】
2004150037.tif 000003
【図２】
2004150037.tif 000004
【図３】
2004150037.tif 000005
【図４】
2004150037.tif 000006
【図５】
2004150037.tif 000007
【図６】
2004150037.tif 000008
【図７】
2004150037.tif 000009
【図８】
2004150037.tif 000010
【図９】
2004150037.tif 000011
【図１０】
2004150037.tif 000012